(57)【要約】      （修正有）【課題】ビードを必要としないパネル体を提供する。【解決手段】桟と、桟の間に取り付けるパネル５０を備え、桟は、互いに対向する面にパネル取付溝４４を有し、一方の桟のパネル取付溝４４内には、後側面に入口側突起４４ａと前側面に奥側突起４４ｂが設けてあり、他方の桟のパネル取付溝４４内には、前側面に入口側突起４４ａと後側面に奥側突起４４ｂが設けてある。【選択図】図１
2018104991.tif 000002
【特許請求の範囲】
【請求項１】
桟と、桟の間に取り付けるパネルを備え、桟は、互いに対向する面にパネル取付溝を有し、一方の桟のパネル取付溝内には、後側面に入口側突起と前側面に奥側突起が設けてあり、他方の桟のパネル取付溝内には、前側面に入口側突起と後側面に奥側突起が設けてあることを特徴とするパネル体。
【発明の詳細な説明】
【技術分野】
【０００１】
本発明は、ドア、門扉、フェンスなどに使用するパネル体に関する。
【背景技術】
【０００２】
門扉等に用いられるパネル体として、桟と桟との間にパネルを配置したものがある。
【先行技術文献】
【非特許文献】
【０００３】
【非特許文献１】「ハンドブックα−Ｐｒｏ  ２０１３−２０１４（ＳＴＸ０７７５Ａ）」、三協立山株式会社、２０１３年４月、ｐ．１００−１０１
【発明の概要】
【発明が解決しようとする課題】
【０００４】
このような従来のパネル体は、パネルの縁を桟のパネル取付溝に固定するために、パネル取付溝内にビードを取付けていた。
本発明は、ビードを必要としないパネル体を提供することを目的とする。
【課題を解決するための手段】
【０００５】
本発明は、桟と、桟の間に取り付けるパネルを備え、桟は、互いに対向する面にパネル取付溝を有し、一方の桟のパネル取付溝内には、後側面に入口側突起と前側面に奥側突起が設けてあり、他方の桟のパネル取付溝内には、前側面に入口側突起と後側面に奥側突起が設けてあることを特徴とする。
【発明の効果】
【０００６】
本発明によれば、一方の桟のパネル取付溝内には、後側面に入口側突起と前側面に奥側突起が設けてあり、他方の桟のパネル取付溝内には、前側面に入口側突起と後側面に奥側突起が設けてあるため、パネルをパネル取付溝内に挿入し易い。また、ビードを必要としないため、作業工程が少なく、コストの削減が可能となる。
【図面の簡単な説明】
【０００７】
【図１】（ａ）は図３のＣ部分拡大図であり、（ｂ）はパネルの厚みと突起間の幅を示す説明図である。
【図２】門扉の正面図である。
【図３】図２のＡ―Ａ線断面図である。
【図４】図２のＢ―Ｂ線断面図である。
【発明を実施するための形態】
【０００８】
以下、本発明の実施の形態を図面に基づいて説明する。本発明のパネル体は、ドアやフェンス、間仕切りなど種々の実施形態に用いられるものであるが、ここでは図２に示す門扉に用いた場合を実施形態例として示す。なお、以下において、図２のように門扉を正面視した際の左右を左右方向とし、奥行方向を前後方向とする。
【０００９】
この門扉は、両開きの門扉であって、左右に立設した門柱２，２には夫々上下二つのヒンジ３，３が取り付けてあり、左右のパネル体１，１はヒンジ３によって回動可能に門柱２，２に取り付けてある。
【００１０】
パネル体１は、左右の縦桟１０，２０、上下の横桟３０，３０、中桟４０、パネル５０及び目板６０から構成され、図２及び図３に示すように、戸先側の縦桟１０と吊元側の縦桟２０と、上下の横桟３０，３０によって枠組みされた内周側に、複数の中桟４０とパネル５０が上下方向に交互に配置される。
【００１１】
縦桟１０，２０は、図４に示すように断面略矩形の中空材であり、左右方向からのネジ止めによって、上下の横桟３０，３０に取り付ける。
戸先側の縦桟１０は、前後方向の幅が横桟３０及び中桟４０の幅と略等しく、図２に示すように、見付面には取手が取り付けてある。また、縦桟１０の吊元側の側面には、前後の見付面を延長し、その端部が対向するように折り曲げられた係合部１１，１１が長手方向全長に亘って設けてある。
吊元側の縦桟２０は、前後方向の幅が、後述する横桟３０及び中桟４０に設けた縦桟取付溝３６，４６の幅に略等しい。吊元側の縦桟２０は、横桟３０及び中桟４０の縦桟取付溝３６，４６内に呑み込ませて取り付けるため、パネル体１を正面視又は背面視した際に、横桟３０と中桟４０の間から部分的に露出する。縦桟２０の戸先側の側面には、前後の見付面を延長し、その端部に突起を備えた係合部２１，２１が長手方向全長に亘って設けてある。
【００１２】
係合部１１，１１及び２１，２１によって形成される空間には、図４に示すように、夫々付子４，４が嵌め込まれる。付子４は上下方向に長い板状の部材であり、中桟４０の左右の側面にネジ止めされて、複数の中桟４０を連結させる。戸先側の縦桟１０の二つの係合部１１，１１の間及び吊元側の縦桟２０の二つの係合部２１，２１の間に、付子４が嵌め込まれることにより、付子４を介して中桟４０及びパネル５０が縦桟１０，２０に取り付けられる。付子４の見込面には、上下方向に亘って縦溝４ａが設けてあり、この縦溝４ａにパネル５０の左右の端部が納まる。図４の拡大図に示すように、パネル５０の厚みをα、縦溝４ａの前後方向の幅をγとすると、α＜γであり、パネル５０の厚みαよりも、縦溝４ａの前後方向の幅γが広い。
【００１３】
横桟３０は、図３に示すように縦断面は略矩形状であり、上下方向の略中央部がタッピングホール３２を有する中壁３３によって仕切られた中空材である。本実施形態例では同一形状の二つの横桟３０，３０を、パネル体１の上下端部に対向させて配置する。横桟３０は、パネル体１において外側に位置する見込面には、前後の見付面を延長した延長部３７，３７と、延長部３７，３７の間に立設する二つの目板係合部３１，３１を備える。目板係合部３１，３１は、目板６０に設けた被係合部６１，６１と対向する位置に設けてあり、目板６０をネジ止めすることなく固定することができる。横桟３０のパネル体１において内側に位置する見込面、言い換えれば、中桟４０の見込面と対向する面には、パネル取付溝３４が形成してある。なお、パネル取付溝３４の前後において、見込面は面一である。そして、図４に示すように、横桟３０の吊元側の側面には、吊元側の縦桟２０を呑み込ませるための縦桟取付溝３６が形成してある。
【００１４】
上下の横桟３０，３０の間に配置される中桟４０は、図３に示すように、縦断面は略矩形状であり、上下方向の略中央部がタッピングホール４２を有する中壁４３によって仕切られた中空材である。中桟４０の上下の見込面には、パネル取付溝４４，４４が形成してある。なお、パネル取付溝４４の前後において、見込面は面一である。そして、図４に示すように、上下の横桟３０，３０と同様、中桟４０の吊元側の側面には吊元側の縦桟２０を呑み込ませるための縦桟取付溝４６が形成してある。
【００１５】
次に、横桟３０及び中桟４０に形成されたパネル取付溝３４，４４の詳細について説明する。上下に隣接する横桟３０及び中桟４０並びに中桟４０どうしは、パネル取付溝３４，４４が互いに対向する。
一方の桟を上側の横桟３０とし、他方の桟を中桟４０としたとき、図１（ａ）に示すように、横桟３０と中桟４０のパネル取付溝３４，４４は互いに対向する位置に形成されており、パネル５０は、上下の端部がパネル取付溝３４，４４に夫々挿入されて、横桟３０と中桟４０に支持される。横桟３０（一方の桟）のパネル取付溝３４内において、後側面のパネル取付溝３４入口側に入口側突起３４ａが形成してあり、前側面のパネル取付溝３４奥側に奥側突起３４ｂが形成してあるとともに、中桟４０（他方の桟）のパネル取付溝４４内においては、前側面のパネル取付溝４４入口側に入口側突起４４ａが形成してあり、後側面のパネル取付溝４４奥側に奥側突起４４ｂが形成してある。
本実施形態例では、対向するパネル取付溝３４，４４内において、入口側突起３４ａ，４４ａと奥側突起３４ｂ，４４ｂを上記のように配置しているが、一方側と他方側は反転させてもよく、具体的には、他方の桟を横桟３０とし、パネル取付溝３４内において、前側面に入口側突起３４ａ、後側面に奥側突起３４ｂを形成するとともに、一方の桟を中桟４０とし、パネル取付溝４４内において、後側面に入口側突起４４ａ、前側面に奥側突起４４ｂを形成してもよい。
ここでは、上側の横桟３０とこれに対向する中桟４０におけるパネル取付溝３４，４４を例に説明したが、上下に隣接する中桟４０どうしにおいて対向するパネル取付溝４４，４４や、下側の横桟３０とこれに対向する中桟４０におけるパネル取付溝３４，４４においても同じ構成である。
【００１６】
パネル５０は横桟３０と中桟４０の間及び中桟４０と中桟４０の間に配置される矩形の薄板材であり、材質は限定されないが、例えばポリカーボネート等のプラスチック製やアルミ製の平板を用いることができる。図１（ａ）に示すように、パネル５０の上下方向の寸法は、対向するパネル取付溝３４，４４間の上下方向の寸法よりもやや短い。
【００１７】
次に、パネル５０の厚みと、パネル取付溝４４内における入口側突起４４ａと奥側突起４４ｂとの前後方向の幅との関係を図１（ｂ）に基づいて説明する。パネル５０の厚みをαとし、入口側突起４４ａの頂点の位置と奥側突起４４ｂの頂点の位置との前後方向の幅をβとすると、α＞βであり、パネル５０の厚みαよりも、入口側突起４４ａと奥側突起４４ｂとの幅βの方が僅かに狭い。これはパネル５０と中桟４０のパネル取付溝４４に限らず、パネル５０と他のパネル取付溝３４においても同じ構成である。
【００１８】
このパネル体１は、例えば次のように組み付けられる。
まず、パネル５０、横桟３０及び中桟４０を上下方向に組む。これらの左右側面に付子４，４を当て、左右方向から中桟４０を夫々ネジ止めして固定すると、複数の中桟４０が付子４，４によって連結される。次に、戸先側には縦桟１０を突き当て、吊元側には縦桟２０を縦桟取付溝３６，４６内に左右方向から挿入し呑み込ませる。縦桟１０，２０の中空部内から、裏板を介して左右方向に挿入されたネジは、付子４を貫通し、横桟３０を固定する。そして、パネル体１の上下の見込面に目板６０を係合させる。
【００１９】
このように構成したパネル体１によれば、対向する一方の桟（上側の横桟３０）と他方の桟（中桟４０）において、一方の桟（横桟３０）のパネル取付溝３４内には、後側面に入口側突起３４ａと前側面に奥側突起３４ｂが設けてあり、他方の桟（中桟４０）のパネル取付溝４４内には、前側面に入口側突起４４ａと後側面に奥側突起４４ｂが設けてあるため、パネル５０をパネル取付溝３４，４４内に挿入し易い。また、従来のようにビードを必要としないため、作業工程が少なく、コストの削減が可能となる。さらに、このように配置された入口側突起３４ａ，４４ａ及び奥側突起３４ｂ，４４ｂによって、パネル５０の反り方向が相殺されるため、パネル５０が経時的に一方向へ反るおそれがない。
また、パネル５０の厚みαよりも、入口側突起４４ａ（３４ａ）と奥側突起４４ｂ（３４ｂ）との幅βの方が僅かに狭いため、パネル取付溝４４（３４）内にパネル５０が確実に固定され、パネル５０ががたつくおそれがない。
そして、パネル取付溝３４，４４の前後において、横桟３０及び中桟４０の見込面が面一であるため、パネル体１の表裏で意匠が統一され、外観が良好である。
【００２０】
本発明は、上記の実施形態に限定されない。例えば、本実施形態例では上下に配置する横桟の間にパネルを挟む構成であるが、これに限定されることはなく、左右に配置する縦桟の間にパネルを挟む構成であってもよい。
【符号の説明】
【００２１】
１      パネル体
１０      縦桟（戸先側）
２０      縦桟（吊元側）
３０      横桟
３４      パネル取付溝
３４ａ    入口側突起
３４ｂ    奥側突起
４０      中桟
４４      パネル取付溝
４４ａ    入口側突起
４４ｂ    奥側突起
５０      パネル
α        パネルの厚み
β        入口側突起と奥側突起との前後方向の幅
γ        縦溝の前後方向の幅
【図１】
2018104991.tif 000003
【図２】
2018104991.tif 000004
【図３】
2018104991.tif 000005
【図４】
2018104991.tif 000006